(57)【要約】【課題】確実にコネクタを保護することのできる防水カバー及びコネクタの防水構造を提供する。【解決手段】防水カバー１は、コネクタ付き電線３０に取り付けられ、電線３２が挿通される電線挿通部１１とコネクタ３１が収容されるコネクタ収容部１２とを有する、弾性体からなる第１のカバー１０と、コネクタ付き電線４０に取り付けられ、電線４２が挿通される電線挿通部２１とコネクタ４１が収容されるコネクタ収容部２２とを有する、弾性体からなる第２のカバー２０とを備え、コネクタ収容部２２の開口に収縮力が付与された状態で、コネクタ収容部２２の開口がコネクタ収容部１２の開口に外嵌されてなる防水カバーである。コネクタ収容部１２の開口は、電線挿通部１１及び電線挿通部２１並びにコネクタ収容部２２の開口よりも肉厚に形成されて形状保持されている。【選択図】図３
2015095421.tif 000002
【特許請求の範囲】
【請求項１】
第１のコネクタ付き電線に取り付けられ、電線が挿通される第１の電線挿通部とコネクタが収容される第１のコネクタ収容部とを有する、弾性体からなる第１のカバーと、
第２のコネクタ付き電線に取り付けられ、電線が挿通される第２の電線挿通部とコネクタが収容される第２のコネクタ収容部とを有する、弾性体からなる第２のカバーと
を備え、
前記第２のコネクタ収容部の開口に収縮力が付与された状態で、前記第２のコネクタ収容部の開口が前記第１のコネクタ収容部の開口に外嵌されてなる防水カバーであって、
前記第１のコネクタ収容部の開口は、前記第１の電線挿通部及び前記第２の電線挿通部並びに前記第２のコネクタ収容部の開口よりも肉厚に形成されて形状保持されている
ことを特徴とする防水カバー。
【請求項２】
前記第２のコネクタ収容部の開口の内周には、断面錨型の突条が全周にわたって形成され、
前記第１のコネクタ収容部の開口の外周には、前記突条が係合される溝が形成されている
ことを特徴とする請求項１記載の防水カバー。
【請求項３】
第１のコネクタ付き電線と、
前記第１のコネクタ付き電線に接続される第２のコネクタ付き電線と、
前記第１のコネクタ付き電線に取り付けられ、電線が挿通される第１の電線挿通部とコネクタが収容される第１のコネクタ収容部とを有する、弾性体からなる第１のカバーと、
前記第２のコネクタ付き電線に取り付けられ、電線が挿通される第２の電線挿通部とコネクタが収容される第２のコネクタ収容部とを有する、弾性体からなる第２のカバーと
を備え、
前記第２のコネクタ収容部の開口に収縮力が付与された状態で、前記第２のコネクタ収容部の開口が前記第１のコネクタ収容部の開口に外嵌されてなるコネクタの防水構造であって、
前記第１のコネクタ収容部の開口は、前記第１の電線挿通部及び前記第２の電線挿通部並びに前記第２のコネクタ収容部の開口よりも肉厚に形成されて形状保持され、前記第１のコネクタ付き電線及び前記第２のコネクタ付き電線のコネクタの外周に密着していない
ことを特徴とするコネクタの防水構造。
【請求項４】
前記第２のコネクタ収容部の開口の内周には、断面錨型の突条が全周にわたって形成され、
前記第１のコネクタ収容部の開口の外周には、前記突条が係合される溝が形成されている
ことを特徴とする請求項３記載のコネクタの防水構造。
【請求項５】
前記第１のコネクタ付き電線は、複数の電線と、各電線に個々に接続された複数のコネクタとからなるとともに、前記第２のコネクタ付き電線は、複数の電線と、各電線に個々に接続された複数のコネクタとからなり、前記第１のコネクタ収容部及び前記第２のコネクタ収容部の内部に複数の前記コネクタが収容されている
ことを特徴とする請求項３又は４記載のコネクタの防水構造。
【発明の詳細な説明】
【技術分野】
【０００１】
本発明は、防水カバー及びコネクタの防水構造に関し、特に確実にコネクタを保護することのできる防水カバー及びコネクタの防水構造に関する。
【背景技術】
【０００２】
電気自動車やハイブリッド自動車等において動作制御に用いられる電子機器からは、電線を内蔵したワイヤーハーネスが伸びており、このワイヤーハーネスを接続する箇所に、コネクタが設けられる。このコネクタの接続部には、外部からの水や衝撃から保護するために、保護部材を設ける構成が用いられる。
【０００３】
従来、コネクタの防水構造として、オス型及びメス型からなる１つのコネクタの周囲に弾性材料（ゴム材）のカバーを設けることにより、コネクタを保護する構成（例えば特許文献１）が知られている。特許文献１に記載された発明では、コネクタの嵌合前にはカバーは捲くれており、コネクタの嵌合後にカバーを伸ばして重ねることにより、コネクタを保護する。
【先行技術文献】
【特許文献】
【０００４】
【特許文献１】特開２０１０−１６５５２３号公報
【発明の概要】
【発明が解決しようとする課題】
【０００５】
特許文献１に記載された構成では、コネクタの周囲を覆うように弾性材料のカバーが設けられているため、カバーを重ねて防水するためには、内側に入るカバーがつぶれないように、コネクタがその外周で内側のカバーを支持するようにしなければならない。この場合、コネクタの形状に合わせてカバーを作成する必要があり、使用するコネクタの種類にあわせてカバーの種類も増え、製造コストが高くなってしまう。また、コネクタ毎にカバーを設けるため、複数のコネクタをまとめてカバー内に収容することができず、コネクタ別のカバーが必要になり、部品点数が増加するという問題もある。また、コネクタ形状にあわせてカバーが形成されるため、コネクタに接続された電線が引っ張られるなどして、カバー内のコネクタの位置がずれると、カバーによる防水性が低下するおそれがある。
【０００６】
本発明は、このような点に鑑みなされたもので、防水カバー及びコネクタの防水構造を設ける場合であっても、確実にコネクタを保護することのできる防水カバー及びコネクタの防水構造を提供することを目的とする。
【課題を解決するための手段】
【０００７】
上記課題を解決し、目的を達成するため、本発明に係る防水カバーは、第１のコネクタ付き電線に取り付けられ、電線が挿通される第１の電線挿通部とコネクタが収容される第１のコネクタ収容部とを有する、弾性体からなる第１のカバーと、第２のコネクタ付き電線に取り付けられ、電線が挿通される第２の電線挿通部とコネクタが収容される第２のコネクタ収容部とを有する、弾性体からなる第２のカバーとを備え、前記第２のコネクタ収容部の開口に収縮力が付与された状態で、前記第２のコネクタ収容部の開口が前記第１のコネクタ収容部の開口に外嵌されてなる。前記第１のコネクタ収容部の開口は、前記第１の電線挿通部及び前記第２の電線挿通部並びに前記第２のコネクタ収容部の開口よりも肉厚に形成されて形状保持されている。
【０００８】
また、前記第２のコネクタ収容部の開口の内周には、断面錨型の突条が全周にわたって形成され、前記第１のコネクタ収容部の開口の外周には、前記突条が係合される溝が形成されているよう構成されていてもよい。
【０００９】
本発明に係るコネクタの防水構造は、第１のコネクタ付き電線と、前記第１のコネクタ付き電線に接続される第２のコネクタ付き電線と、前記第１のコネクタ付き電線に取り付けられ、電線が挿通される第１の電線挿通部とコネクタが収容される第１のコネクタ収容部とを有する、弾性体からなる第１のカバーと、前記第２のコネクタ付き電線に取り付けられ、電線が挿通される第２の電線挿通部とコネクタが収容される第２のコネクタ収容部とを有する、弾性体からなる第２のカバーとを備え、前記第２のコネクタ収容部の開口に収縮力が付与された状態で、前記第２のコネクタ収容部の開口が前記第１のコネクタ収容部の開口に外嵌されてなる。前記第１のコネクタ収容部の開口は、前記第１の電線挿通部及び前記第２の電線挿通部並びに前記第２のコネクタ収容部の開口よりも肉厚に形成されて形状保持され、前記第１のコネクタ付き電線及び前記第２のコネクタ付き電線のコネクタの外周に密着していない。
【００１０】
また、前記第２のコネクタ収容部の開口の内周には、断面錨型の突条が全周にわたって形成され、前記第１のコネクタ収容部の開口の外周には、前記突条が係合される溝が形成されているよう構成されていてもよい。さらに、前記第１のコネクタ付き電線は、複数の電線と、各電線に個々に接続された複数のコネクタとからなるとともに、前記第２のコネクタ付き電線は、複数の電線と、各電線に個々に接続された複数のコネクタとからなり、前記第１のコネクタ収容部及び前記第２のコネクタ収容部の内部に複数の前記コネクタが収容されているよう構成されていてもよい。
【発明の効果】
【００１１】
本発明によれば、防水カバー及びコネクタの防水構造を設置する場合であっても、確実にコネクタを保護することのできる防水カバー及びコネクタの防水構造を提供することが可能となる。
【図面の簡単な説明】
【００１２】
【図１】本発明の第１の実施形態に係るコネクタの防水構造の構成を示す斜視図である。
【図２】本発明の第１の実施形態に係るコネクタの防水構造の構成を示す斜視図である。
【図３】本発明の第１の実施形態に係るコネクタの防水構造の構成を示す断面図である。
【図４】本発明の第１の実施形態に係るコネクタの防水構造の構成を示す断面図である。
【図５】本発明の第１の実施形態に係るコネクタの防水構造の構成を示す断面図である。
【図６】本発明の第１の実施形態に係るコネクタの防水構造の構成を示す断面図である。
【図７】本発明の第１の実施形態に係るコネクタの防水構造の構成を示す断面図である。
【図８】本発明の第１の実施形態に係るコネクタの防水構造の構成を示す断面図である。
【図９】本発明の第１の実施形態に係るコネクタの防水構造の構成を示す断面図である。
【図１０】本発明の第２の実施形態に係るコネクタの防水構造の構成を示す断面図である。
【発明を実施するための形態】
【００１３】
［第１の実施形態］
本発明の実施形態に係る防水カバー及びコネクタの防水構造について、図面に基づいて説明する。
【００１４】
図１は、本発明の実施の形態に係るコネクタの防水構造の構成を示す斜視図であり、図２は、本発明の実施の形態に係るコネクタの防水構造の構成を示した分解斜視図である。図３は、本発明の実施の形態に係るコネクタの防水構造の構成を示した断面図である。図３は、図１のＡ−Ａ’線で切断して矢印方向に見た断面図である。
【００１５】
図１乃至図３に示すように、本実施の形態のコネクタの防水構造は、第１のカバー１０及び第２のカバー２０を有する防水カバー１を備える。また、本実施の形態のコネクタの防水構造は、第１のカバー１０及び第２のカバー２０内に設けられたコネクタ３１及び電線３２からなるコネクタ付き電線３０と、コネクタ４１及び電線４２からなるコネクタ付き電線４０とを備える。
【００１６】
第１のカバー１０及び第２のカバー２０は、コネクタ付き電線３０及びコネクタ付き電線４０を内部に収容することができるように、それぞれ円筒形状をしている。第１のカバー１０及び第２のカバー２０は、例えばゴム等の弾性体により形成される。
【００１７】
第１のカバー１０及び第２のカバー２０は、内部に複数のコネクタ３１及びコネクタ４１を収容することのできる空間が形成されるコネクタ収容部１２及びコネクタ収容部２２を有する。このコネクタ収容部１２及びコネクタ収容部２２は、コネクタ付き電線３０及びコネクタ付き電線４０のコネクタ３１及びコネクタ４１の外周に密着しない程度の内部空間を有する。換言すれば、第１のカバー１０及び第２のカバー２０のコネクタ収容部１２及びコネクタ収容部２２の内部で、コネクタ３１及びコネクタ４１が遊んだ状態になる。
【００１８】
また、第１のカバー１０及び第２のカバー２０は、コネクタ付き電線３０及びコネクタ付き電線４０の電線３２及び電線４２が挿通される電線挿通部１１及び電線挿通部２１を有する。図１乃至図３に示す実施の形態では、弾性体により形成された電線挿通部１１及び電線挿通部２１は、収縮して、電線３２及び電線４２の周囲に密着するような径に形成されている。
なお、図示は省略するが、電線３２及び電線４２が挿通した電線挿通部１１及び電線挿通部２１の端部領域をテープ巻きすることにより、電線挿通部１１及び電線挿通部２１の端部開口から防水カバー１内部に水が侵入することを防ぎ、防水性を高めることができる。
【００１９】
第２のカバー２０のコネクタ収容部２２の開口の内周には、断面が錨型である突条部２３が全周にわたって形成されている。また、第１のカバー１０のコネクタ収容部１２の開口の外周には、突条部２３が係合される凹型の溝部１３が形成されている。この突条部２３と、第１のカバー１０及び第２のカバー２０を重ねて溝部１３とを係合することにより、コネクタ収容部２２の開口がコネクタ収容部１２の開口に外嵌される。このとき、弾性体により形成されたコネクタ収容部２２の開口には、収縮力が付与され、第１のカバー１０及び第２のカバー２０内のコネクタを密封する。また、突条部２３の断面を錨型に形成することにより、気密性が向上するとともに、突条部２３と、溝部１３との係合が外れにくくすることができる。
【００２０】
図４は、この突条部２３と、溝部１３とを係合する際の方法を示す断面図である。図４（ａ）に示すように、突条部２３の基部に治具５０をあて、図４（ｂ）に示すように、突条部２３を溝部１３に押し込むことにより、コネクタ収容部２２の開口がコネクタ収容部１２の開口に外嵌される。
【００２１】
図１乃至図３に示すように、第１のカバー１０のコネクタ収容部１２の開口は、第１のカバー１０の電線挿通部１１や、第２のカバー２０の電線挿通部２１・コネクタ収容部２２の開口よりも肉厚に形成されて形状保持されている。第１のカバー１０のコネクタ収容部１２の弾性力によって変形を防ぎ、内部のコネクタ３１及びコネクタ４１を外部からの衝撃から保護することができる。また、第１のカバー１０のコネクタ収容部１２の肉厚を、第２のカバー２０のコネクタ収容部２２の肉厚よりも厚くすることにより、第１のカバー１０のコネクタ収容部１２の厚みが持つ保持力によって、コネクタ３１及びコネクタ４１の周囲に空間を維持することができる。このコネクタ収容部１２及びコネクタ収容部２２の空間内に収容できるものであればコネクタ３１及びコネクタ４１の形状や数に関係なく、防水・保護することが可能になる。
【００２２】
コネクタ付き電線３０及びコネクタ付き電線４０は、第１のカバー１０及び第２のカバー２０内でコネクタ３１とコネクタ４１とが嵌合することにより接続される。図１乃至図３に示されるように、本実施の形態のコネクタ付き電線３０及びコネクタ付き電線４０は、それぞれ４本ずつ設けられているが、コネクタ付き電線３０及びコネクタ付き電線４０の数は、第１のカバー１０及び第２のカバー２０のコネクタ収容部１２及びコネクタ収容部２２の内部に収容することができれば、任意に変更することが可能である。
【００２３】
次に、このように構成されたコネクタの防水構造を形成する手順について説明する。図５から図９は、本実施の形態のコネクタの防水構造を形成する手順について説明するための断面図である。
【００２４】
まず、図５に示すように、第１のカバー１０及び第２のカバー２０の電線挿通部１１及び電線挿通部２１の開口を、電線挿通部１１及び電線挿通部２１を拡張するための治具５１により拡張する。第１のカバー１０及び第２のカバー２０は、弾性体により形成されており、また、電線挿通部１１及び電線挿通部２１は薄い肉厚で形成されているため、コネクタ３１及びコネクタ４１を挿通するために十分な径だけ拡張することができる。そのため、コネクタ３１及びコネクタ４１をつけたあとのコネクタ付き電線３０及びコネクタ付き電線４０であっても、第１のカバー１０及び第２のカバー２０を取り付けることができる。
【００２５】
次に、図６に示すように、コネクタ３１とコネクタ４１とを嵌合することにより、コネクタ付き電線３０及びコネクタ付き電線４０を接続する。
【００２６】
次に、図７に示すように、第２のカバー２０のコネクタ収容部２２を外側に向けて捲くりあげる。第２のカバー２０のコネクタ収容部２２も薄い肉厚で形成されているため、外側に向けて捲くることが可能である。このとき、コネクタ収容部１２及びコネクタ収容部２２内でのコネクタ３１及びコネクタ４１の位置を調整することができる。
【００２７】
次に、図８に示すように、第２のカバー２０のコネクタ収容部２２の捲くりあげた箇所を元の形状に戻す。そして、図４に詳細に示したように、治具５０を用いて突条部２３を溝部１３に押し込む。
【００２８】
そして、図９に示すように、突条部２３を溝部１３に完全に押し込み、コネクタ収容部２２の開口をコネクタ収容部１２の開口に外嵌することにより、本実施の形態のコネクタの防水構造を形成することができる。
【００２９】
［第２の実施形態］
次に、本発明の第２の実施の形態を、図１０を参照して説明する。本実施の形態のコネクタの防水構造の全体構成は、第１の実施の形態と同様であり、その詳細な説明は省略する。また、第１の実施の形態と同様の構成を有する箇所には、同一の符号を付して重複する説明を省略する。本実施の形態のコネクタの防水構造は、第１のカバー１０のコネクタ収容部１２の形状が第１の実施の形態と異なる。
【００３０】
図１０は、本実施の形態のコネクタの防水構造の断面図であり、図３に示される第１の実施の形態のコネクタの防水構造と対応する箇所を図示している。本実施の形態のコネクタの防水構造も、第１のカバー１０のコネクタ収容部１２の開口は、第１のカバー１０の電線挿通部１１や、第２のカバー２０の電線挿通部２１・コネクタ収容部２２の開口よりも肉厚に形成されて形状保持されている点は第１の実施の形態と同様である。
【００３１】
図１０に示すように、本実施の形態のコネクタの防水構造は、第１のカバー１０のコネクタ収容部１２に、コネクタ３１及びコネクタ４１の双方を覆う位置まで延びるように形成された延長部１２’が形成されている点において、第１の実施の形態と異なる。本実施の形態のコネクタ収容部１２及び延長部１２’のうち、肉厚が厚く形成された箇所は、コネクタ３１が位置する箇所よりも先に延びて、コネクタ４１が位置する箇所まで到達している。
【００３２】
このように構成されたコネクタの防水構造でも、第１のカバー１０のコネクタ収容部１２及び延長部１２’の開口を、第１のカバー１０の電線挿通部１１や、第２のカバー２０の電線挿通部２１・コネクタ収容部２２の開口よりも肉厚に形成することにより、第１のカバー１０のコネクタ収容部１２の弾性力によって変形を防ぎ、内部のコネクタ３１及びコネクタ４１を外部からの衝撃から保護する。また、第１のカバー１０のコネクタ収容部１２及び延長部１２’の肉厚を、第２のカバー２０のコネクタ収容部２２の肉厚よりも厚くすることにより、第１のカバー１０のコネクタ収容部１２の厚みが持つ保持力によって、コネクタ３１及びコネクタ４１の周囲に空間を維持することができる。
【００３３】
また、コネクタ収容部１２及び延長部１２’のうち、肉厚が厚く形成された箇所をコネクタ３１及びコネクタ４１の双方を覆う位置まで延びるように形成することにより、コネクタ３１及びコネクタ４１の双方を確実に保護することができる。また、第１のカバー１０と第２のカバー２０とが重なり合う長さが長くなることにより、防水性能を向上させることも可能となる。
【００３４】
以上、本発明の実施の形態を説明したが、本発明は上述した実施形態に限定されるものではない。例えば、実施の形態において説明したコネクタの防水構造は、電線挿通部１１及び電線挿通部２１と、電線３２及び電線４２とは密着していたが、電線挿通部１１及び電線挿通部２１と、電線３２及び電線４２との間に空間が設けられるような空間が形成されていてもよい。
【符号の説明】
【００３５】
１・・・防水カバー、  １０・・・第１のカバー、  １１・・・電線挿通部、  １２・・・コネクタ収容部、  １３・・・突条部、  ２０・・・第２のカバー、  ２１・・・電線挿通部、  ２２・・・コネクタ収容部、  ２３・・・溝部、  ３０・・・コネクタ付き電線、  ３１・・・コネクタ、  ３２・・・電線、  ４０・・・コネクタ付き電線、  ４１・・・コネクタ、  ４２・・・電線、  ５０、５１・・・治具。
【図１】
2015095421.tif 000003
【図２】
2015095421.tif 000004
【図３】
2015095421.tif 000005
【図４】
2015095421.tif 000006
【図５】
2015095421.tif 000007
【図６】
2015095421.tif 000008
【図７】
2015095421.tif 000009
【図８】
2015095421.tif 000010
【図９】
2015095421.tif 000011
【図１０】
2015095421.tif 000012